(57)【要約】【課題】投影機の強光が使用者の目に直射するのを防止し、目を保護する投影装置を提供すること。【解決手段】投影機本体上に少なくとも一つの画像捕捉素子を増設し、投影機本体が投影情報をディスプレイ上に投射する時、画像捕捉素子は使用者の画像を捕捉し、投影機本体内部に設置された回路、或いは、外部の電子装置に設置された画像処理ユニットにより、この画像を受信した後、人の黒色マスクを生成すると共に、投影機本体により使用者位置に対応するディスプレイ上に投射する。【選択図】図１
0003140252.tif 000002
【実用新案登録請求の範囲】
【請求項１】
目を保護する投影装置であって、
投影情報をディスプレイ上に投射する投影機本体と、
前記投影機本体上に設置され、少なくとも一使用者の画像を捕捉する少なくとも一つの画像捕捉素子と、
人の画像を受信後、黒色マスクを生成すると共に、前記使用者の位置に基づいて、前記黒色マスクを前記投影機本体に出力し、前記ディスプレイの対応位置に投射する画像処理ユニットと、
からなることを特徴とする目を保護する投影装置。
【請求項２】
前記画像処理ユニットは前記投影機本体中に位置し、且つ、前記投影機本体はＣＰＵを有し、前記ＣＰＵは前記画像処理ユニットを含むことを特徴とする請求項１に記載の目を保護する投影装置。
【請求項３】
前記画像処理ユニットは外部電子装置中に位置し、前記黒色マスクを生成することを特徴とする請求項１に記載の投影装置。
【請求項４】
前記外部電子装置は、パソコン、ノート型パソコン、或いは、ＰＤＡであることを特徴とする請求項１に記載の目を保護する投影装置。
【請求項５】
前記画像捕捉素子は、ＣＣＤ、或いは、ＣＭＯＳであることを特徴とする請求項１に記載の目を保護する投影装置。
【請求項６】
前記画像捕捉素子は、人の顔を感知して、前記使用者の画像を得ることを特徴とする請求項１に記載の目を保護する投影装置。
【請求項７】
前記人の顔の感知は、まず、参考点を探し、移動ベクトルにより、前記使用者の存在を検出することを特徴とする請求項６に記載の目を保護する投影装置。
【請求項８】
前記投影機本体は、フロントプロジェクタと天吊りプロジェクタから選択されることを特徴とする請求項１に記載の目を保護する投影装置。
【請求項９】
更に、補光光源を有し、前記画像捕捉素子に必要な光源を提供することを特徴とする請求項１に記載の目を保護する投影装置。
【請求項１０】
前記補光光源は赤外線光源であることを特徴とする請求項１に記載の目を保護する投影装置。
【考案の詳細な説明】
【技術分野】
【０００１】
本考案は、投影装置の改良技術に関するものであって、特に、目を保護する投影装置に関するものである。
【背景技術】
【０００２】
多くの研究部門の成果報告、学術報告、論文発表、及び、企業界の各会議において、提案、業績報告、成果等を説明するために、適当なマルチメディア展示により情報を共有することができる投影機の使用が一般的になっている。
【０００３】
一般に、投影機を使用する時、講演者は、予め準備した投影フィルムを投影機によりディスプレイ上で表示するが、ディスプレイの前に立ち、且つ、聴衆に対面している。この時、講演者は、投影機の投射レンズの前方位置に対面する状態であり、投影機が投影フィルムの画像をディスプレイに表示する時、講演者の両目が、投影機が発射する強光に照射されるために、不快感を覚えるとともに黒影が残る。投影機の強光は公演中、長時間に亘り講演者の目に直射する。
【０００４】
本考案は以上の点に鑑みて成されたもので、講演中に、投影機の強光が目を直接照射するのを防止する目を保護する投影装置を提供するものである。
【考案の開示】
【考案が解決しようとする課題】
【０００５】
本考案は、投影装置を提供し、黒色マスクをディスプレイ上の対応位置に出力して、投影機の強光が目を直射するのを防止し、効果的に目を保護することを目的とする。
【０００６】
本考案は、投影装置を提供し、使用者の目を傷めない使用環境を提供することをもう一つの目的とする。
【課題を解決するための手段】
【０００７】
上述の目的を達成するため、本考案の投影装置は、投影情報をディスプレイ上に投射する投影機本体と、投影機本体上に設置され、少なくとも一使用者の画像を捕捉する少なくとも一つの画像捕捉素子と、人の画像を受信後、黒色マスクを生成すると共に、使用者の位置に基づいて、黒色マスクを前記投影機本体に出力し、前記ディスプレイの対応位置に投射する画像処理ユニットと、からなる。
【考案の効果】
【０００８】
本考案に係る投影装置は、投影機の強光により目が直射されるのを防止することができる。
【考案を実施するための最良の形態】
【０００９】
本考案に係る目を保護する投影装置は、使用者の所在位置に基づいて、黒色マスクを生成して、ディスプレイ上の対応位置に出力し、投影機の強光が目に直接照射するのを防止して、目を保護する。
【００１０】
投影機は、フロントプロジェクタと天吊りプロジェクタがあり、且つ、投影原理が異なり、各種形式とブランドの投影機があるが、投影機のタイプは本考案の特徴に影響しない。よって、本考案では、投影機の種類や規格が限定されるものではない。
【００１１】
まず、図１を参照すると、目を保護する投影装置は、投影機本体１０と、画像捕捉素子１６、からなる。
投影機本体１０は投影レンズ１２を有し、本体１０内部はＣＰＵなどの回路装置（図示しない）を設置する。
投影機本体１０は、投影情報をディスプレイ１４上に投射する。
画像捕捉素子１６は、ＣＣＤやＣＭＯＳセンサーを使用し、画像捕捉素子１６は、投影機本体１０の外表面上に設置される。
画像捕捉素子１６はまず、顔の感知により、使用者１８の所在位置を得て、使用者１８の画像を捕捉する。
捕捉した画像をＣＰＵ内に画像処理ユニット（図示しない）に伝送し、画像処理ユニットが画像を受信した後、計算し、図２で示されるように、人の黒色マスク２０を生成すると共に、投影機本体１０によりディスプレイ１４の対応位置に投射する。
【００１２】
使用する人の顔の感知技術は、まず、参考点を探し、移動ベクトルにより、使用者の存在を検出する。
もちろん、画像捕捉工程中、光線不足の場合、更に、補光光源、例えば、赤外線光源等を増設し、画像捕捉素子に必要な充分な光源を提供する。
補光光源は投影機本体上、或いは、その他の位置に設置することができる。
【００１３】
図１と図２を参照すると、本考案は、使用者１８の所在位置に対し、人の黒色マスク２０をディスプレイ１４上に出力するので、使用者１８は投影機本体１０の投影レンズ１２に対面する時、発射される強光は黒色マスク２０を追随するので、強光は使用者１８の目に直接照射されない。故に、使用者の両目を保護することができて、使用者に快適な使用環境を提供できる。
【００１４】
上述した黒色マスクは、人の黒色マスクを好ましい実施例としているが、これに限定されず、その他の形状でもよく、両目を保護することができる黒色マスクであればよい。
更に、黒色マスクの画像処理ユニットは、直接、投影機本体内部に内建される以外に、画像処理ユニットは外部電子装置中に位置して、黒色マスクを処理してもよく、また外部電子装置はパソコン、ノート型パソコン、或いは、ＰＤＡ等の何れかを使用可能である。
【００１５】
本考案では好ましい実施例を前述の通り開示したが、これらは決して本考案を限定するものではなく、当業者が本考案の精神と領域を脱しない範囲内で適宜行なう各種の変更も本考案に含まれるものである。
【図面の簡単な説明】
【００１６】
【図１】本考案に係る目を保護する投影装置の投影構造図である。
【図２】本考案により生成する人の黒色マスクを示す図である。
【符号の説明】
【００１７】
１０  投影機本体
１２  投影レンズ
１４  ディスプレイ
１６  画像捕捉素子
１８  使用者
２０  人の黒色マスク
【図１】
0003140252.tif 000003
【図２】
0003140252.tif 000004
【手続補正書】
【提出日】平成20年1月10日(2008.1.10)
【手続補正１】
【補正対象書類名】実用新案登録請求の範囲
【補正対象項目名】請求項４
【補正方法】変更
【補正の内容】
【請求項４】
前記外部電子装置は、パソコン、ノート型パソコン、或いは、ＰＤＡであることを特徴とする請求項３に記載の目を保護する投影装置。
【手続補正２】
【補正対象書類名】実用新案登録請求の範囲
【補正対象項目名】請求項１０
【補正方法】変更
【補正の内容】
【請求項１０】
前記補光光源は赤外線光源であることを特徴とする請求項９に記載の目を保護する投影装置。